(57)【要約】【課題】遊技中の遊技者の便宜性を向上させる。【解決手段】本体１０２の前面に備わる払出口１４０から払い出された遊技媒体を受け入れて貯留する受け皿１４２を備える遊技機１００において、受け皿１４２は、本体の前面に対して固定され、かつ本体の前面から見た左右の側面の少なくとも何れか一方が設けられずに第１開口部１８０となる略箱型形状の固定皿部１７６と、固定皿部に対して第１開口部側から本体の幅方向に摺動可能に嵌合し、かつ本体の前面から見た左右の側面のうち固定皿部の第１開口部と対向させる側面が設けられずに第２開口部となる略箱型形状の可動皿部１７８と、を備え、可動皿部を摺動させて受け皿を縮小させた際における受け皿縮小領域に所望の物品を収納可能な収納筐体１４６が可動皿部の側面に設けられ、可動皿部の摺動規制または収納筐体の本体への固定を行うロック手段１４８が本体の前面に設けられている。【選択図】図７
2007260233.tif 000002
【特許請求の範囲】
【請求項１】
箱状の本体の前面に備わる払出口から払い出された遊技媒体を受け入れて貯留する上部を開口した略箱型形状の受け皿を備える遊技機において、
前記受け皿は、
前記本体の前面に対して固定され、かつ前記本体の前面から見た左右の側面の少なくとも何れか一方が設けられずに第１開口部となっている略箱型形状の固定皿部と、
前記固定皿部に対して前記第１開口部側から前記本体の幅方向に摺動可能に嵌合し、かつ前記本体の前面から見た左右の側面のうち前記固定皿部の前記第１開口部と対向側に位置する側面が設けられずに第２開口部となっている略箱型形状の可動皿部と、
から構成され、前記可動皿部を前記固定皿部に対して摺動させることにより前記遊技媒体の貯留容量を調整可能とし、
前記可動皿部を初期位置から前記固定皿部の側面に向けて摺動させ、前記受け皿を前記本体の幅方向に縮小させた際に前記可動皿部に隣接する位置に形成される受け皿縮小領域に所望の物品を収納可能な収納筐体を配置可能にし、
前記本体の前面側には、
前記可動皿部が前記初期位置に配置される際には、前記可動皿部の前記初期位置からの摺動を阻止するように前記可動皿部を保持し、
前記可動皿部が前記固定皿部の側面に向けて摺動されて前記受け皿縮小領域に前記収納筐体を配置する際には、前記収納筐体の配置位置からの離脱を阻止するように前記収納筐体を保持するロック手段が設けられていることを特徴とする遊技機。
【請求項２】
前記ロック手段は、前記本体の内側から前記可動皿部または前記収納筐体の前記本体の前面と近接する壁面に設けた貫通孔を貫通させて係止させる鍵部材を備える鍵機構であることを特徴とする請求項１に記載の遊技機。
【請求項３】
前記収納筐体が前記受け皿縮小領域に配置される際に前記可動皿部と近接する部位には、前記可動皿部の側面に対して掛止する掛止手段が設けられていることを特徴とする請求項１または２に記載の遊技機。
【請求項４】
前記可動皿部および前記固定皿部の何れか一方の摺動面には、複数の凸部が前記遊技媒体の直径の大きさより狭い間隔で設けられ、他方の摺動面には、前記凸部と嵌合する凹部が設けられていることを特徴とする請求項１〜３の何れか１項に記載の遊技機。
【発明の詳細な説明】
【技術分野】
【０００１】
本発明は、スロットマシンやパチンコ機等の遊技機に関し、特に遊技機に備わるメダルやパチンコ球等の遊技媒体の受け皿および受け皿周辺の部位の構成に関する。
【背景技術】
【０００２】
停止ボタンを備えたスロットマシン、いわゆるパチスロ機は、正面の表示窓内に複数の図柄を変動表示する回転リールを複数配列して構成した機械的変動表示装置、あるいは回転リール上の図柄を画面に表示する電気的変動表示装置を有している。そして、遊技者のスタート操作に応じて、制御手段が変動表示装置を駆動制御して各回転リールを回転させることによって図柄を変動表示させ、一定時間後に自動的にあるいは遊技者の停止操作により各回転リールの回転を順次停止させ、表示窓内に現れた各回転リールの図柄が特定の組合せ（入賞図柄）になった場合に、メダル等の遊技媒体を払い出すことで遊技者に利益を付与するものである。
【０００３】
スロットマシンやパチンコ機等の遊技機では、入賞等した際にメダルやパチンコ球等の遊技媒体が払い出される受け皿は、一般に、遊技機本体の下側に設けられている。そして、かかる受け皿に隣接するようにして、喫煙遊技者が使用する灰皿や、ドリンク類を飲みながら遊技する際に缶や紙コップ等のドリンク類の容器を支えるドリンクホルダーが備え付けられている。このような遊技機の受け皿や受け皿周辺に設ける灰皿等の各種機能物品の構成に工夫を加えることにより、遊技者の便宜性を向上させる遊技機が従来から存在していた。
【０００４】
例えば、遊技機に取り付けられる灰皿として、簡単な操作で交換可能とするものとして、灰皿を使用姿勢と吸殻捨姿勢との中間の所定位置で、移動軸を軸受孔より解除して灰皿を軸受孔に嵌め込まれた固定軸を中心として前方に引き出すことにより灰皿が灰皿取付部より取り外せる一方、同所定位置で固定軸を軸受孔に斜めに嵌め込んだ後に、固定軸を中心として灰皿を後方に押し込むと共に、移動軸を軸受孔に係合することによって、灰皿が灰皿取付部に取り付けられる遊技機用灰皿がある（特許文献１参照）。
【０００５】
また、メダル受け皿として、底板、両側板および前板で形成されて本体に設けたメダル受け皿本体と、メダル受け皿本体の底板および両側板の外面に沿って手前に引き出し可能にメダル受け皿本体に設けた拡張皿と、を備え、メダル受け皿本体の前板は、拡張皿を引き出したとき、手前側に傾倒可能になっている遊技機用受け皿が開示されている（例えば、特許文献２参照）。かかるメダル受け皿により、メダル貯留枚数を容易に増やすことができるようになる。
【特許文献１】特開２００２−０９５４６３号公報
【特許文献２】特開２００５−２０４６９９号公報
【発明の開示】
【発明が解決しようとする課題】
【０００６】
しかしながら、受け皿のメダル貯留容量を増加させたり、灰皿やドリンクホルダー等の備品を遊技機に備え付ける以外にも、遊技者は、遊技機での遊技中に様々な要望を有することが考えられる。例えば、遊技中に手指等を汚した場合には、かかる手指等の汚れを拭き取るウェットティッシュを即時に取り出せることが好ましく、遊技者が花粉症等の各種疾患を患っている場合には、ティッシュペーパを遊技機で遊技中でも瞬時に取り出して使用できることが好ましい。このため、これらウェットティッシュやティッシュペーパが遊技機に備え付けられるようになることが望まれる。換言すると、遊技者にとって、所望の物品を遊技機に備え付けることによって、遊技者の便宜性を向上させることが望まれる。
【０００７】
そこで、本発明は、従来の遊技機が有する上記問題点に鑑みてなされたものであり、本発明の目的は、遊技者の各種目的に応じた所望の物品を収納可能な容器等を遊技機に備え付けることによって、遊技中の遊技者の便宜性を向上させることの可能な、新規かつ改良された遊技機を提供することである。
【課題を解決するための手段】
【０００８】
上記課題を解決するために、本発明のある実施の態様によれば、箱状の本体の前面に備わる払出口から払い出された遊技媒体を受け入れて貯留する上部を開口した略箱型形状の受け皿を備える遊技機において、受け皿は、本体の前面に対して固定され、かつ本体の前面から見た左右の側面の少なくとも何れか一方が設けられずに第１開口部となっている略箱型形状の固定皿部と、固定皿部に対して第１開口部側から本体の幅方向に摺動可能に嵌合し、かつ本体の前面から見た左右の側面のうち固定皿部の第１開口部と対向側に位置する側面が設けられずに第２開口部となっている略箱型形状の可動皿部と、から構成され、可動皿部を固定皿部に対して摺動させることにより遊技媒体の貯留容量を調整可能とし、可動皿部を初期位置から固定皿部の側面に向けて摺動させ、受け皿を本体の幅方向に縮小させた際に可動皿部に隣接する位置に形成される受け皿縮小領域に所望の物品を収納可能な収納筐体を配置可能にし、本体の前面側には、可動皿部が初期位置に配置される際には、可動皿部の初期位置からの摺動を阻止するように可動皿部を保持し、可動皿部が固定皿部の側面に向けて摺動されて受け皿縮小領域に収納筐体を配置する際には、収納筐体の配置位置からの離脱を阻止するように収納筐体を保持するロック手段が設けられていることを特徴とする遊技機が提供される。
【０００９】
このような構成とすることにより、可動皿部を本体の幅方向に摺動させることによって、遊技媒体の貯留容量の大きさを変更可能とした受け皿に隣接するように収納筐体が設けられるので、かかる収納筐体にウェットティッシュやティッシュペーパ等の各種目的に応じた所望の物品を収納できる。このため、遊技機本体の幅方向の範囲内における受け皿周辺の限られたスペースを有効に利用しながら、遊技中の遊技者の便宜性が向上される。
【００１０】
また、可動皿部を本体の幅方向に摺動させることによって、受け皿の遊技媒体貯留容量の大きさを変更可能とすることによって、所望の大きさの収納筐体を設置できるので、収納筐体に収納する物品の種類を増やせ、遊技者の便宜性が向上される。
【００１１】
このとき、上記実施の態様において、ロック手段は、本体の内側から可動皿部または収納筐体の本体の前面と近接する壁面に設けた貫通孔を貫通させて係止させる鍵部材を備える鍵機構であることとしてもよい。
【００１２】
このような構成とすることにより、収納筐体が本体に対して、より強固に、かつ確実に係止することができる。また、収納筐体を設けない場合は、可動皿部を本体に確実に係止することができる。
【００１３】
また、このとき、上記実施の態様において、収納筐体が受け皿縮小領域に配置される際に可動皿部と近接する部位には、可動皿部の側面に対して掛止する掛止手段が設けられていることとしてもよい。
【００１４】
このような構成とすることにより、収納筐体が本体に対して固着されるだけでなく、可動皿部に対しても掛止されるように設けられるので、収納筐体が遊技機の本体に対して、がたつくことなく、より強固に安定した状態で固着されるようになる。
【００１５】
さらに、このとき、上記実施の態様において、可動皿部および固定皿部の何れか一方の摺動面には、複数の凸部が遊技媒体の直径の大きさより狭い間隔で設けられ、他方の摺動面には、かかる凸部と嵌合する凹部が設けられていることとしてもよい。
【００１６】
このような構成とすることにより、可動底部と固定皿部との摺動部位にメダル等の遊技媒体が侵入するのを未然に防止できる。
【発明の効果】
【００１７】
以上説明したように本発明によれば、受け皿の遊技媒体の貯留容量を変更しながら、各種物品を収納可能な所望の大きさの収納筐体を受け皿に隣接するように設けられるので、遊技機の受け皿周辺の限られたスペースを有効に利用した上で、遊技者の便宜性を向上できる。
【発明を実施するための最良の形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１９】
まず、本発明の遊技機の第１の実施の形態であるスロットマシンの全体の構成について、図面を使用しながら説明する。図１は、本実施の形態のスロットマシンの外観斜視図であり、図２は、本実施の形態のスロットマシンの前面扉を分解して外した状態の斜視図である。なお、図２は、後述の鍵機構を説明するために、下部扉の一部を破断して図示している。
【００２０】
図１に示すように、スロットマシン１００は、筐体１０２と、この筐体１０２の前面に設けられた前面扉１０４とからなる本体１０６の内部に、後述する第１、第２、第３回転リール１０８ａ、１０８ｂ、１０８ｃから構成されるリールユニット１０８、ホッパーユニット１１０（図２参照）、電源ユニット１１２（図２参照）等が配設された構成となっている。
【００２１】
前面扉１０４は、上部扉１１４と下部扉１１６との２枚の扉から構成される。上部扉１１４には、表示窓１１８が設けられ、この表示窓１１８の奥には、第１回転リール１０８ａ、第２回転リール１０８ｂ、第３回転リール１０８ｃから構成されるリールユニット１０８が配設されている。周知のように、第１〜第３回転リール１０８ａ、１０８ｂ、１０８ｃの外周には、複数の図柄が一定ピッチで配列され、各回転リール１０８ａ、１０８ｂ、１０８ｃが停止した状態では、対応する表示窓１１８を通して１回転リール当たり３個の図柄が観察される。これにより、各回転リール１０８ａ、１０８ｂ、１０８ｃの図柄を１個ずつ組み合わせた直線状の入賞ラインが横３本斜め２本の合計５本設定されている。なお、表示窓１１８の個数は１つに限定する必要はなく、例えば各々の回転リール毎に表示窓を設けるようにしてもよい。
【００２２】
リールユニット１０８の側方には、ＬＥＤ、ドットマトリックス、液晶画面等を用いて、入賞の報知その他の演出を表示する演出表示部１２０が設けられ、例えばアニメーション表示を利用した演出を行う。なお、演出表示部１２０としては上記のものに限られず、例えば、演出専用の回転リール（第４リール）を設け、リールの図柄や文字等により演出を表示するようにしてもよい。また、演出表示部１２０は、リールユニット１０８の側方でなく、上方や下方等に設けられる構成としてもよい。また、リールユニット１０８の上側には、照明や音声によって遊技者に入賞等を報知させる等の種々の演出を実行するランプ１２２およびスピーカ１２４が設けられている。
【００２３】
下部扉１１６の上部には、ゲームの開始時に遊技者が遊技媒体として投入したメダルで遊技機１００のホッパーユニット１１０に貯留された貯留メダル数を減じてメダル投入に代える手段として操作される１枚ベットボタン１２６、ＭＡＸベットボタン１２８、遊技機１００のホッパーユニット１１０に貯留した投入メダルを払い出す手段であるペイアウトボタン１３０等の各種の操作ボタンが設けられる。なお、これらのボタンの機能は何れも周知であるので、その詳細については省略する。また、本明細書中では、遊技媒体としてメダルの場合について説明するが、遊技媒体としてはパチンコ球等の他の媒体でも代用可能である。
【００２４】
これらボタン１２６、１２８、１３０の近傍には、遊技者がメダル投入口１３２からメダルを投入するか上記各種ベットボタン１２６、１２８を押圧してメダルベットが行われた後に操作されるスタートレバー１３４や、スタートレバー１３４の操作により回転するリールユニット１０８による図柄変動を停止させるストップボタン１３６として、各回転リール１０８ａ、１０８ｂ、１０８ｃに対応する第１、第２、第３ストップボタン１３６ａ、１３６ｂ、１３６ｃが設けられる。
【００２５】
また、下部扉１１６の上部には、ゲームを行う際の遊技媒体であるメダルを投入するためのメダル投入口１３２が設けられている。このメダル投入口１３２の奥側、すなわち下部扉１１６の裏面側には、図２に示すように、メダル投入口１３２から投入されたメダルを誘導しながらメダルの正偽を判断するためのメダルセレクタ１３８が設けられている。
【００２６】
一方、下部扉１１６の下部には、ホッパーユニット１１０からメダルの払出口１４０を介して払い出されたメダルを受け入れ、溜めておくための受け皿１４２が設けられ、入賞等により払い出されるメダルが排出されると共に、メダルセレクタ１３８によって、遊技に不適正なメダルが受け皿１４２に排出される。また、メダルセレクタ１３８は、例えば、ゲームの途中や各種の操作ボタンが押されたままの状態で投入された等の不適切なタイミングでメダルの投入が行われたときに、投入されたメダルを受け皿１４２に排出する。
【００２７】
なお、ゲームの開始に先立って投入するメダルの枚数が１〜３枚に限られている場合は、クレジット機能を用いていないときには、４枚目以降に投入されたメダルは、受け皿１４２に排出される。一方、クレジット機能がオン状態のときには、４枚目以降に投入されたメダルは、メダルセンサ（図示せず）で検知され、例えば、５０枚を限度にスロットマシン１００の内部に貯留される。このクレジット機能を用いているときには、前述した１枚ベットボタン１２６やＭＡＸベットボタン１２８の操作によりメダルの投入操作が行われ、そのベット枚数がクレジット枚数から逐次に減算される。また、ゲームの結果、入賞が得られたときには、配当となるメダルもクレジットされ、ペイアウトボタン１３０を操作したときにクレジットされているメダルが受け皿１４２に払い出される。
【００２８】
また、本実施の形態における遊技機１００では、受け皿１４２の本体幅方向の一端には、灰皿１４４が設けられ、受け皿１４２の本体幅方向の他端、すなわち、灰皿１４４に対して反対側に位置する受け皿１４２の端部には、ウェットティッシュやティッシュペーパ等の所望の物品を収納する収納筐体１４６が設けられている。収納筐体１４６は、図２に示すように、下部扉１１６の裏側から壁面を貫通して設けられる鍵機構１４８から構成されるロック手段によって、下部扉１１６に対して着脱自在に取り付けられる。かかる収納筐体１４６および受け皿１４２の詳細については、後述するものとする。
【００２９】
遊技機１００の筐体内の下部扉１１６と対向する位置には、図２に示すように、ホッパーユニット１１０が設けられている。このホッパーユニット１１０は、払い出し用のメダルを貯留する手段となる貯留タンク１５０と、貯留タンク１５０の底部に設けられメダルを貯留タンク１５０の下部に有する排出口１５２から払い出す際に駆動する払出手段（図示せず）とを備える。貯留タンク１５０には、メダル投入口１３２から投入されたメダルが貯留される。このようなホッパーユニット１１０は、スロットマシン１００で遊技を行って入賞した場合に作動して、入賞に対する配当分のメダルを連続して貯留タンク１５０から受け皿１４２に払い出す。
【００３０】
また、下部扉１１６には、図２に示すように、排出経路１５４が設けられ、下部扉１１６を閉じると排出経路１５４の一端に設けられた開口部１５６に挿通されて、貯留タンク１５０の排出口１５２から排出されたメダルが排出経路１５４の内部を移動して、下部扉１１６に設けられた払出口１４０から受け皿１４２に払い出される。
【００３１】
上述したリールユニット１０８とホッパーユニット１１０との間には、図２に示すように、電源ユニット１１２が設けられている。この電源ユニット１１２は、特に図示しないが、安定した電圧で電力を供給するための電源回路と、遊技店側が種々の設定を行うためのスイッチ等を有する店操作部１５８とを備える。
【００３２】
また、本実施の形態では、図２に示すように、筐体１０２の側壁１０２ａの下部側の端部には、下部扉１１６を回動自在に支持する本体係合部１６０が、上下方向に一定の間隔をおいて２つ設けられている。一方、下部扉１１６の裏面側には、かかる本体係合部１６０を回動自在に支持させるための下部扉係合部１６２が本体係合部１６０に対応するようにして一定の間隔をおいて２つ設けられている。
【００３３】
本体係合部１６０が設けられた側壁１０２ａと対向する反対側の側壁１０２ｂの端部には、下部扉１１６を閉めた際、下部扉１１６をロックするための突出片１６４が上下方向に一定の間隔をおいて２つ設けられている。一方、下部扉１１６の裏面側には、かかる突出片１６４と係合するフック部材１６６が突出片１６４に対応するように一定の間隔をおいて２つ設けられている。
【００３４】
一方、筐体１０２の側壁１０２ａの上部側の端部には、上部扉１１４を回動自在に支持する本体係合部１６８が上下方向に一定の間隔をおいて２つ設けられている。一方、上部扉１１４の裏面側には、かかる本体係合部１６８を回動自在に支持させるための上部扉係合部１７０が本体係合部１６８に対応するように一定の間隔をおいて２つ設けられている。
【００３５】
本体係合部１６８が設けられた側壁１０２ａと対向する反対側の側壁１０２ｂの端部には、上部扉１１４を閉めた際、上部扉１１４をロックするための突出片１７２が上下方向に一定の間隔をおいて２つ設けられている。一方、上部扉１１４の裏面側には、かかる突出片１７２と係合するフック部材１７４が突出片１７２に対応するように一定の間隔をおいて２つ設けられている。
【００３６】
次に、本実施の形態における遊技機１００に備わる受け皿１４２および受け皿１４２の周辺の部位の構成について図面を使用しながら説明する。図３は、本実施の形態の遊技機１００に備わる受け皿１４２および受け皿１４２の周辺部位の概略正面図であり、図４は、本実施の形態の遊技機１００の受け皿１４２を解体したときの外観斜視図であり、図５は、本実施の形態の遊技機１００の受け皿１４２の側面に隣接して設けた収納筐体の外観斜視図であり、図６は、図５に示す収納筐体の外観斜視図のＡ−Ａ線矢視断面図である。
【００３７】
図３に示すように、本体１０６の下部扉１１６の下部に設けられるメダルの払出口１４０の払い出し先となる位置に受け皿１４２が設けられている。本体１０６の幅方向における受け皿１４２の一端には、灰皿１４４が配設されており、受け皿１４２の他端には、所望の物品を収納する収納筐体１４６が配設されている。
【００３８】
本実施の形態では、受け皿１４２は、図４に示すように、本体１０６の下部扉１１６の前面に対して固定される固定皿部１７６と、この固定皿部１７６に対して本体１０６の幅方向に摺動可能に嵌合される可動皿部１７８から構成されている。これら平面視コ字状の固定皿部１７６と可動皿部１７８とを向かい併せることによって、メダルを受け入れて貯留する枡形状となるメダル貯留部１７７が一つに構成される。
【００３９】
固定皿部１７６は、本体１０６の前面側から見た左右一方の側面１７６ｃと対向側の側面（図３および図４では右側の側面）が設けられずに第１開口部１８０となっている上部が開口した略箱型形状であり、固定皿部１７６の前面部１７６ａおよび底面部１７６ｂには、可動皿部１７８を収容可能な隙間部１８２が本体１０６の幅方向に可動皿部１７８を案内するように形成されている。なお、本実施の形態では、固定皿部１７６の後方に位置する後面部は、本体１０６の下部扉１１６の前面を活用しているので、設けられていない。
【００４０】
可動皿部１７８は、図４に示すように、本体１０６の前面側から見た左右の側面のうち、固定皿部１７６の第１開口部１８０と対向する第２開口部１８１の対向側のみに側面１７８ｃが設けられ、この側面１７８ｃの前端部と接合するように前面部１７８ａが設けられ、上部が開口した略箱型形状の部分筐体である。
【００４１】
可動皿部１７８の前面部１７８ａの対向側、すなわち本体１０６の下部扉１１６の前面側に当接する側には、下部扉１１６の内側から貫通させて設けられる回動自在な略Ｔ字型の鍵部材１８４によって、可動皿部１７８を下部扉１１６に対して摺動規制を自在にして設置するために、鍵部材１８４の鍵軸部１８４ａの先端と直交する棒形状の掛止部１８４ｂを掛止可能な鍵穴部１８６が形成された略矩形の部分壁部１７８ｄが可動皿部１７８の側面１７８ｃの後端部と接合するように設けられている。また、部分壁部１７８ｄと底面１７８ｂとの間は、受け皿１４２のメダル貯留部１７７を縮小する方向に可動皿部１７８を移動させる際に、固定皿部１７６の底面部１７６ｂの中空状に形成された隙間部１８２より上側部分の面を嵌入可能とするためのスリット状の間隙１７９となっている。
【００４２】
このように、可動皿部１７８の部分壁部１７８ｄに鍵穴部１８６を形成することにより、かかる鍵穴部１８６に鍵部材１８４を掛止させて、可動皿部１７８は、収納筐体１４６を設置する際に後述の受け皿縮小領域Ｐが形成される前段となる可動皿部１７８の初期位置からの摺動が規制される。すなわち、受け皿１４２のメダル貯留部１７７を縮小させる方向に対する可動皿部１７８の外側に形成される後述の受け皿縮小領域Ｐに収納筐体１４６を設置しない場合は、下部扉１１６の内側から貫通された鍵部材１８４で可動皿部１７８に備わる部分壁部１７８ｄをロックすることによって、可動皿部１７８が本体１０６の下部扉１１６に固定保持される。なお、部分壁部１７８ｄは、鍵部材１８４の先端に有する掛止部１８４ｂを掛止可能な鍵穴部１８６が形成され、かつ可動皿部１７８に対して初期位置に摺動規制する構成であれば、上述した構成に限定されるものではなく、他の構成とすることも可能である。
【００４３】
また、可動皿部１７８の底面１７８ｂおよび前面部１７８ａの内側面には、図４に示すように、固定皿部１７６に対する摺動面にメダルが侵入することを防止するために、複数の凸部１８８がメダルの直径の大きさより狭い間隔ｔで形成されている。また、本実施の形態では、固定皿部１７６の底面部１７６ｂのうち隙間部１８２より上側となる肉厚部には、これら凸部１８８と嵌合する凹部１８９が形成されている。かかる凸部１８８は、合成ゴム等の弾性部材で別個形成したものを底面１７８ｂに固着させる構成としても、弾性プラスチック等で底面１７８ｂと一体成型した構成としてもよい。なお、凸部１８８と凹部１８９の配設先を互いに逆にして設ける構成としてもよい。すなわち、本実施の形態における凸部１８８および凹部１８９は、固定皿部１７６の隙間部１８２と可動皿部１７８の底面１７８ｂとの間隙に有する固定皿部１７６と可動皿部１７８との摺動面にメダルの侵入が防止されるように設けられていれば、かかる構成に限定されるものではない。
【００４４】
さらに、可動皿部１７８の前面部１７８ａの側面１７８ｃと接合する部位の頂部側には、後述する収納筐体１４６の可動皿部１７８と当接する部位に設けた筐体掛止部１９０を側面１７８ｃに沿うようにして案内するための切り欠きとなる導入溝１９２が形成されている。
【００４５】
上述したように、本実施の形態では、受け皿１４２が上記構成の可動皿部１７８を固定皿部１７６の第１開口部側から側面１７６ｃに向けて、すなわち本体１０６の幅方向に摺動可能に嵌合することにより一体化された構成となっている。このため、可動皿部１７８を固定皿部１７６に対して本体１０６の幅方向に摺動させることによって、受け皿１４２のメダル貯留部１７７の大きさを変更してメダル貯留容量を調整可能とする。
【００４６】
また、受け皿１４２のメダル貯留容量を縮小させるように可動皿部１７８を本体１０６の幅方向に摺動させることによって、図３および図５に示すように、受け皿１４２のメダル貯留部１７７を縮小させる方向（図３におけるＸ方向）に対する可動皿部１７８の外側に形成される受け皿縮小領域Ｐに、所望の物品を収納可能な収納筐体１４６が可動皿部１７８の側面１７８ｃに近接するようにして設けられる。なお、収納筐体１７８は、可動皿部１７８の側面１７８ｃの外面に対して、完全に接した状態で設けられていても、僅かな隙間がある状態で設けられていてもよい。
【００４７】
収納筐体１４６は、図５に示すように、一定の容積を有する収納部１９４を備えており、この収納部１９４にウェットティッシュやティッシュペーパ等の所望の物品を収納できる。また、下部扉１１６の内側から貫通させて設けられる回動自在な略Ｔ字型の鍵部材１８４によって、収納筐体１４６を下部扉１１６に対して着脱自在に設置するために、下部扉１１６の前面側に当接する収納筐体１４６の壁面部１４７には、鍵部材１８４の鍵軸部１８４ａの先端と直交する掛止部１８４ｂを係止可能な鍵穴部１９６が形成された突出部１４７ｄが底面１４６ｂに対して垂直上向きに突出するように設けられている。なお、本実施の形態では、可動皿部１７８の部分壁部１７８ｄに形成された鍵穴部１８６と、収納筐体１４６の突出部１４７ｄに形成された鍵穴部１９６は、形状および底面からの距離（高さ）は、略同一である。このため、同一の鍵部材１８４によって、可動皿部１７８は固定皿部１７６に対して摺動規制されると共に、収納筐体１４６は下部扉１１６から離隔する方向へ離脱することを阻止するようにロックされるようになる。
【００４８】
収納筐体１４６を下部扉１１６から離隔する方向へ離脱することを阻止するロック手段を構成する鍵機構１４８は、図６に示すように、下部扉１１６の内側から下部扉１１６を貫通する鍵軸部１８４ａと収納筐体１４６を掛止するために回動自在な鍵軸部１８４ａの一端に備わると共に直交するＴバー状の掛止部１８４ｂとから構成される略Ｔ字型の鍵部材１８４、および鍵軸部１８４ａの他端に鍵部材１８４が本体１０６の下部扉１１６から外れないようにするために設けられる係止部１８５を備える。鍵部材１８４は、係止部１８５に形成された鍵穴凹部１８５ａに回転キー１９７を挿入することで鍵軸部１８４ａが本体１０６の下部扉１１６に対して回動可能に、かつ図６に示すＹ方向に摺動可能に設けられる。このため、収納筐体１４６を下部扉１１６に掛止する場合は、鍵部材１８４の掛止部１８４ｂを鍵穴部１９６に挿入した後、本体１０６の幅方向に対して略垂直向きになるように鍵部材１８４を回動させて、掛止部１８４ｂで収納筐体１４６を掛止する。
【００４９】
このとき、掛止部１８４ｂで収納筐体１４６を掛止した際には、下部扉１１６を開放して回転キー１９７を鍵部材１８４の係止部１８５に形成された鍵穴凹部１８５ａに挿入して鍵操作をして鍵部材１８４が回動しないようにロックする。一方、収納筐体１４６を下部扉１１６から外す場合は、同様に下部扉１１６を開放して回転キー１９７を鍵部材１８４の係止部１８５に形成された鍵穴凹部１８５ａに挿入して鍵操作をして鍵部材１８４を回動させないロック状態を解除してから、鍵部材１８４の掛止部１８４ｂを鍵穴部１９６の幅方向に対して略同一向きになるように鍵部材１８４を回動させた後に、鍵部材１８４の鍵軸部１８４ａを下部扉１１６に対して摺動させるように掛止部１８４ｂを押圧して、かかる掛止部１８４ｂを鍵穴部１９６から外す。このため、収納筐体１４６は、下部扉１１６を開放して回転キー１９７を係止部１８５の鍵穴凹部１８５ａに挿入して鍵操作をしない限り取り外せない。すなわち、第三者がいたずら等で収納筐体１４６を持ち去って盗難することを防止できる。なお、収納筐体１４６を下部扉１１６から離隔する方向へ離脱することを阻止するロック手段の構成は、上述した鍵部材１８４を備える鍵機構１４８に限定されず、他の態様での実施も可能である。
【００５０】
また、本実施の形態では、収納筐体１４６の可動皿部１７８の側面１７８ｃと当接する部位には、可動皿部１７８の側面１７８ｃに対して掛止する掛止手段として、可動皿部１７８の前面部１７８ａの側面１７８ｃと接合する部位の頂部側に形成された切り欠き状の導入溝１９２から側面１７８ｃに沿うようにして案内される筐体掛止部１９０が設けられている。この筐体掛止部１９０が収納筐体１４６の配置場所への設置に伴って側面１７８ｃにスライドして嵌合する。このように筐体掛止部１９０を設けることにより、収納筐体１４６が鍵機構１４８によって、本体１０６に対して固定されるだけでなく、可動皿部１７８に対しても掛止されるので、収納筐体１４６が遊技機１００の本体１０６に対して、がたつくことなく、より強固に安定した状態で固着されるようになる。
【００５１】
次に、本実施の形態における遊技機１００に備わる受け皿１４２に収納筐体を設置する際の動作について、図面を使用しながら説明する。図７は、本実施の形態の遊技機１００に備わる受け皿１４２に収納筐体を設置する際の動作説明図であり、（ａ）は、収納筐体を設置前の受け皿の本体幅方向における概略断面図であり、（ｂ）は、受け皿の可動皿部を摺動して受け皿１４２のメダル貯留部１７７を縮小させる状態の受け皿の本体幅方向における概略断面図であり、（ｃ）は、収納筐体を設置後の受け皿の本体幅方向における概略断面図である。なお、本図においては、本体１０６および下部扉１１６の図示は省略しているものとする。
【００５２】
まず、所望の物品を収納する収納筐体１４６を設置する前は、図７（ａ）に示すように、可能皿部１７８の部分壁部１７８ｄに形成された鍵穴部１８６に鍵部材１８４を掛止することによって、可動皿部１７８が本体１０６の下部扉１１６に初期位置に摺動規制されることにより固定される。すなわち、受け皿１４２のメダル貯留部１７７を縮小させる方向に対する可動皿部１７８の外側に収納筐体１４６を設置しない場合は、下部扉１１６の内側から貫通された鍵部材１８４で可動皿部１７８をロックすることによって、可動皿部１７８が本体１０６の下部扉１１６に対する摺動規制をする。
【００５３】
次に、受け皿１４２のメダル貯留部１７７を縮小させる方向に対する可動皿部１７８の外側に収納筐体１４６を設置する場合は、図７（ｂ）に示すように、鍵部材１８４を回動させて鍵穴部１８６から外すことにより、可動皿部１７８が固定皿部１７６に対して本体１０６の幅方向に摺動可能となるので、受け皿１４２の可動皿部１７８を初期位置から本体１０６の幅方向に摺動することによって、受け皿１４２のメダル貯留部１７７が縮小される。このようにして、受け皿１４２のメダル貯留部１７７を縮小させる方向に対する可動皿部１７８の外側に収納筐体１４６を設置するための受け皿縮小領域Ｐが形成される。
【００５４】
その後、図７(ｃ)に示すように、可動皿部１７８の側面１７８ｃの頂部に収納筐体１４６の筐体掛止部１９０を掛止して、かつ下部扉１１６の前面側に当接する収納筐体１４６の壁面部１４７に形成した鍵穴部１９６に鍵部材１８４を掛止させることによって、受け皿１４２のメダル貯留部１７７を縮小させる方向に対する可動皿部１７８の外側、すなわち受け皿縮小領域Ｐに収納筐体１４６が設置される。
【００５５】
以上説明したように、本実施の形態の遊技機１００では、可動皿部１７８を初期位置から本体１０６の幅方向に摺動させることによって、本実施の形態における遊技機１００に備わる受け皿１４２は、払出口１４０から払い出される遊技媒体となるメダルの貯留容量の大きさを変更可能となり、かかる受け皿１４２に隣接するようにウェットティッシュやティッシュペーパ等の各種目的に応じた所望の物品を収納できる収納筐体１４６が設けられる。このため、遊技機本体１０６の幅方向の範囲内における受け皿１４２の周辺の限られたスペースを有効に利用しながら、所望の物品を収納できる収納筐体１４６を遊技機１００に設置することによって、遊技機１００に遊技中の遊技者の便宜性が向上される。
【００５６】
また、可動皿部１７８を本体１０６の幅方向に摺動させることによって、受け皿１４２のメダル貯留容量の大きさを変更できるので、それに伴って受け皿縮小領域Ｐの大きさも変更されることにより、所望の大きさの収納筐体１４６を設置できる。このため、収納筐体１４６に、ウェットティッシュやティッシュペーパ以外にも、例えば、菓子やドリンク類等の飲食物や携帯電話機等の遊技者の所持品と言った具合に、収納する物品の種類を増やせるので、遊技者の便宜性がより向上される。
【００５７】
さらに、本体１０６の内側から貫通して設けられる鍵部材１８４によって、可動皿部１７８の部分壁部１７８ｄや収納筐体１４６の壁面部１４７に形成した鍵穴部１８６、１９６を掛止する。このため、収納筐体１４６を設置する場合は、収納筐体１４６が本体１０６に対して、より強固に、かつ確実に掛止することができるようになる。一方、収納筐体１４６を設けない場合は、可動皿部１７８を本体１０６に対して初期位置から摺動しないように摺動規制を確実にすることができるようになる。
【００５８】
なお、本実施の形態の遊技機１００に備わる受け皿１４２の構成は、上述した構成に限定されない。例えば、図８に示すように、固定皿部２７６の前面部２７６ａの縁部内側に可動皿部２７８の前面部２７８ａの縁部を掛止する掛止部材２８２を本体幅方向に沿って形成して、固定皿部２７６に対して可動皿部２７８を開口部２８０から本体幅方向に摺動可能に設置した構成とするような受け皿２４２として構成してもよい。
【００５９】
かかる第１の実施の形態の遊技機１００に備わる受け皿の変形例では、可動底部２７８と固定皿部２７６との摺動部位にメダルが侵入するのを未然に防止するための凸部２８８は、可動皿部２７８の固定皿部２７６に対する摺動面のうち、固定皿部２７６の摺動面となる底面２７６ｂに設けられ、これら凸部２８８と嵌合する凹部（図示せず）が可動皿部２７８ｂの固定皿部２７６との摺動面に形成されている。また、本体１０６の下部扉１１６の前面側に当接する側には、第１の実施の形態と同様に、鍵部材１８４によって、可動皿部２７８を下部扉１１６に対して摺動規制するために、鍵部材１８４を係止可能な鍵穴部２８６が形成された部分壁部２７８ｄが可動皿部２７８の側面２７８ｃと接合するように設けられている。さらに、可動皿部２７８の前面部２７８ａの側面２７８ｃと接合する部位の頂部側には、収納筐体１４６に設けた筐体掛止部１９０を側面２７８ｃに沿うようにして案内するための切り欠き状の導入溝２９２が上述した第１の実施の形態と同様に形成されている。
【００６０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６１】
例えば、上記の第１の実施の形態では、受け皿は、遊技機本体の前面に対して固定されて設けられる固定皿部には、本体の前面から見た左右の側面の何れか一方のみが設けられずに第１開口部となり、可動皿部が第１開口部側から本体の幅方向に摺動可能に嵌合される構成であるが、かかる固定皿部が遊技機本体の前面から見た左右の側面の双方とも設けずに開口部として、双方の開口部から可動皿部を本体の幅方向に摺動可能に嵌合とする構成としてもよい。
【００６２】
また、本発明は、リール駆動タイプのスロットマシンに限らず、液晶パネル等で変動される図柄が表示されるビデオタイプのスロットマシン、遊技媒体として、パチンコ球を使用する弾球遊技機であるパチンコ機、アミューズメントセンター等に設置されるテーブルゲーム機、家庭用のゲーム機等の遊技媒体の払出先となる受け皿を具備する他の遊技機にも同様にして適用することができる。
【００６３】
さらに、上記の第１の実施の形態のように、回転リールの数が３本で、入賞有効ラインが横３本、斜め２本の合計５本設定された遊技機に限らず、回転リールの数が３本以上で、その他の入賞有効ライン数の遊技機にも本発明は適用可能である。
【産業上の利用可能性】
【００６４】
本発明は、パチンコ機等の遊技機に適用可能であり、特に遊技媒体の払出先となる受け皿に灰皿等の各種機能物品を取り付けられる遊技機に適用可能である。
【図面の簡単な説明】
【００６５】
【図１】本発明における第１の実施の形態のスロットマシンの外観斜視図である。
【図２】同実施の形態におけるスロットマシンの前面扉を分解して外した状態の斜視図である。
【図３】同実施の形態の遊技機に備わる受け皿および受け皿の周辺部位の概略正面図である。
【図４】同実施の形態の遊技機の受け皿を解体したときの外観斜視図である。
【図５】同実施の形態の遊技機の受け皿の側面に隣接して設けた収納筐体の外観斜視図である。
【図６】図５に示す収納筐体の外観斜視図のＡ−Ａ線矢視断面図である。
【図７】同実施の形態の遊技機に備わる受け皿に収納筐体を設置する際の動作説明図であり、（ａ）は、収納筐体を設置前の受け皿の本体幅方向における概略断面図であり、（ｂ）は、受け皿の可動皿部を本体幅方向に摺動して受け皿を縮小させる状態の受け皿の本体幅方向における概略断面図であり、（ｃ）は、収納筐体を設置後の受け皿の本体幅方向における概略断面図である。
【図８】同実施の形態の遊技機の受け皿の変形例となる受け皿を解体したときの外観斜視図である。
【符号の説明】
【００６６】
１００      遊技機（スロットマシン）
１０２      筐体
１０４      前面扉
１０６      本体
１０８      リールユニット
１１０      ホッパーユニット
１１２      電源ユニット
１１６      下部扉
１４０      払出口
１４２      受け皿
１４６      収納筐体
１４７      壁面（壁面部）
１４８      ロック手段（鍵機構）
１７６      固定皿部
１７８      可動皿部
１７８ｃ    （可動皿部の）側面
１７８ｄ    壁面（部分壁部）
１８０      開口部
１８４      鍵部材
１８６      貫通孔（鍵穴部）
１８８      凸部
１８９      凹部
１９０      掛止手段（筐体掛止部）
１９６      貫通孔（鍵穴部）
【図１】
2007260233.tif 000003
【図２】
2007260233.tif 000004
【図３】
2007260233.tif 000005
【図４】
2007260233.tif 000006
【図５】
2007260233.tif 000007
【図６】
2007260233.tif 000008
【図７】
2007260233.tif 000009
【図８】
2007260233.tif 000010